(57)【特許請求の範囲】
【請求項１】
光学的に情報の再生が可能な光記録面と、磁気的に情報の記録再生が可能な磁気記録面を持つ記録媒体を用い、情報の記録再生を行う記録再生装置であって、
メカシャーシと、
このメカシャーシに媒体出し入れ位置と媒体記録再生位置との間で移動可能に設けた媒体移送手段と、
この媒体移送手段に設けた支軸を中心に回動自在に配置したアームと、前記アームの先端に前記磁気記録面を記録再生する磁気ヘッドを擦るブラシとからなる磁気ヘッドクリーニング手段と、
前記メカシャーシに設けられ前記媒体の光記録面の情報を読み取る光ピックアップと、
前記メカシャーシに設けられ、前記ブラシを前記アームの前記支軸周りの回動により、前記媒体出し入れ位置状態における前記磁気ヘッドの位置から、前記媒体記録再生位置状態における前記磁気ヘッド以外の位置に規制する位置規制手段と、
前記アームによる前記ブラシの回動中に、前記ヘッドクリーニング手段の前記ブラシを擦る付着物除去部とを備えた記録再生装置。
【請求項２】
ブラシの先端を、媒体出し入れ位置から媒体記録再生位置に向かう方向に傾斜させたことを特徴とする請求項１記載の記録再生装置。
【請求項３】
アームが弾性体からなることを特徴とする請求項１記載の記録再生装置。
【発明の詳細な説明】
【０００１】
【産業上の利用分野】
この発明は、光学的に情報の再生が可能な光記録面と、磁気的に情報の記録再生が可能な磁気記録面を持つ円板状の記録媒体を使用した記録再生装置に関するものである。
【０００２】
【従来の技術】
近年、記録再生装置は、ＣＤ−ＲＯＭに代表されるように大容量の情報を安価に大量に供給できる媒体を使用する光学的な再生専用装置が普及しているが、この特徴を活かしつつ記録機能を付加させることが求められている。
そこで、光記録面の裏面に磁気ヘッドにて磁気記録を行う方法が提案されている。
【０００３】
【発明が解決しようとする課題】
しかしながら、上記のような提案例の記録再生装置は、ＣＤという防塵等の専用ケースのない媒体を使用するため、接触式の記録再生を行う場合、媒体の汚れ等が磁気ヘッドに転写し、磁気ヘッド特性の劣化や媒体の傷、異音の発生という問題点を有していた。
【０００４】
この発明は、上記従来の問題点に鑑み、防塵ケースのない媒体で接触式の磁気記録再生を行う場合であっても、汚れによる磁気ヘッド特性の劣化を防止できる記録再生装置を提供することを目的とするものである。
【０００５】
【課題を解決するための手段】
請求項１の記録再生装置は、光学的に情報の再生が可能な光記録面と、磁気的に情報の記録再生が可能な磁気記録面を持つ記録媒体を用い、情報の記録再生を行う記録再生装置であって、
メカシャーシと、
このメカシャーシに媒体出し入れ位置と媒体記録再生位置との間で移動可能に設けた媒体移送手段と、
この媒体移送手段に設けた支軸を中心に回動自在に配置したアームと、前記アームの先端に前記磁気記録面を記録再生する磁気ヘッドを擦るブラシとからなる磁気ヘッドクリーニング手段と、
前記メカシャーシに設けられ前記媒体の光記録面の情報を読み取る光ピックアップと、
前記メカシャーシに設けられ、前記ブラシを前記アームの前記支軸周りの回動により、前記媒体出し入れ位置状態における前記磁気ヘッドの位置から、前記媒体記録再生位置状態における前記磁気ヘッド以外の位置に規制する位置規制手段と、
前記アームによる前記ブラシの回動中に、前記ヘッドクリーニング手段の前記ブラシを擦る付着物除去部とを備えたものである。
【０００７】
請求項２の記録再生装置は、請求項１の装置において、ブラシの先端を、媒体出し入れ位置から媒体記録再生位置に向かう方向に傾斜させたことを特徴とするものである。
請求項３の記録再生装置は、請求項１の装置において、アームが弾性体からなることを特徴とするものである。
【０００８】
【作用】
請求項１の構成によれば、媒体移送手段の移動時に、磁気ヘッドをクリーニングする磁気ヘッドクリーニング手段を設けたので、媒体の出し入れ操作を行う度に、媒体から磁気ヘッドに転写した汚れ，ごみを取り除くことができる。
また、媒体移送手段の移動時に、磁気ヘッドクリーニング手段のクリーニング面を擦る付着物除去部を設けたので、クリーニング効果が持続する。
【０００９】
請求項２、３の構成によれば、磁気ヘッドクリーニング手段が、アームの先端に磁気ヘッドを擦るブラシを設けたものであって、ブラシの先端を媒体出し入れ位置から媒体記録再生位置に向かう方向に傾斜させることで、媒体装着初期に磁気ヘッドを強力にクリーニングし、またアームを弾性体にて形成することにより、クリーニング効果が向上する。
【００１０】
【実施例】
この発明の一実施例について、図１ないし図９を参照しながら説明する。
図１および図２は、この発明の一実施例の記録再生装置の磁気ヘッドのクリーニング時の全体構成を示すもので、図１はその平面図、図２はその側面図である。
【００１１】
図において、１は光学的に情報の再生が可能な光記録面１ａと、その裏面に磁気的に情報の記録再生が可能な磁気記録面１ｂを持つ媒体、２は媒体受面２ａに媒体１を載置し、媒体１の媒体出し入れ位置と媒体記録再生位置との間で、矢印Ａ方向に移動自在に構成されたトレイ（媒体移送手段）であり、図１，２は媒体出し入れ位置の状態を示している。
【００１２】
３はトレイ２の動作をガイドし駆動源（図示せず）にてトレイ２を移動させるメカシャーシ、４は媒体１を受けて保持し、直結するモータ（図示せず）で媒体１を回転させるターンテーブル４ａや光学的に情報を再生する光ピックアップ４ｂを有し、メカシャーシ３の駆動源（図示せず）にて媒体クランプ位置とクランプ解除位置の２つの位置を持つ光再生部、５はターンテーブル４ａとで媒体１を挟み込み、磁石等の吸着力にて媒体１にターンテーブル４ａの回転を伝達させるためのクランパ、６はクランパ５を回転自在に保持し、メカシャーシ３に固定保持させるクランプ板、７はガイド軸９ａに対し回動自在に設けられ、ばね１６にて一方向へ付勢されたヘッドアーム８に保持され、媒体１の磁気記録面１ｂに接触し磁気記録再生を行う磁気ヘッド、１０はガイド軸９ａ，９ｂにガイドされ媒体１の半径方向に移動自在に構成されたキャリッジで、モータ１１を駆動源としてモータ１１に連結されたギア１１ａからキャリッジ一体のラック部１０ａを介し駆動され、ヘッドアーム８を媒体１の半径方向に連動させる。
【００１３】
１２はモータ１１，ガイド軸９ａ，９ｂを保持し、磁気ヘッド７の待機位置（図２，図５の磁気ヘッド位置）にて、磁気ヘッド７を媒体１から離す方向にヘッドアーム８の水平方向の移動動作に連動し作用するカム部１２ａを有するベース、１３は先端部にヘッドクリーニング用ブラシ１４が構成され、トレイ２に設けられた支軸２ｂを中心に回動自在に設置され、ばね１５にて時計方向に付勢されトレイ２上のストッパ２ｃにて位置規正されるブラシアームであり、ブラシアーム１３ならびにブラシ１４にて磁気ヘッドクリーニング手段を構成している。
【００１４】
また、図３に媒体１の内部構造説明図を示す。図において、１ｃは媒体１の基材、１ｄは光ピット、１ｅは光ピットの保護層、１ｆは磁気記録用の磁性層、１ｇは磁性層１ｆの保護層である。
図４および図５は、図１および図２の媒体出し入れ位置から、媒体１を載置したトレイ２を媒体記録再生位置となるように記録再生装置内に引込み、光再生部４による媒体１の再生状態の平面図および側面図を示している。
【００１５】
図６および図７は、図４および図５の状態にて、媒体１の光記録面１ａの裏面の磁気記録面１ｂに磁気ヘッド７にて記録再生を実施する時の状態の平面図および側面図を示している。また、図８は、磁気ヘッド７の記録位置ならびに待機位置の状態を示す断面図である。
磁気記録再生動作について説明する。図６および図７の状態にて、ターンテーブル４ａとクランパ５とで挟まれて媒体１がクランプされ回転される状態で、ヘッドアーム８に取り付けられた磁気ヘッド７は、ばね１６による付勢力（矢印Ｃ：図８参照）にて媒体１の磁気記録面１ｂに接触し（図８中の実線参照）、モータ１１の駆動によりキャリッジ１０を介し媒体１の半径方向（矢印Ｄ：図８参照）に位置制御されつつ移動し、本体側との信号のやり取り（図示せず）にて媒体１上に同心円状のトラックを記録再生する。記録再生動作終了後は、モータ１１の駆動により磁気ヘッド７（同時にヘッドアーム８，キャリッジ１０）は矢印Ｂ方向（図６参照）へ移動し、磁気ヘッド待機位置にてベース１２のカム部１２ａの斜面にてヘッドアーム８上の凸部８ａが持ち上げられ磁気ヘッド７は媒体１から離れる（図８中の想像線参照）。このとき、ブラシアーム１３は、メカシャーシ３上のピン３ａにより、位置規制されている。
【００１６】
次に、媒体１の出し入れ動作およびそれに連動する磁気ヘッドクリーニング動作について説明する。図６，７で示した磁気記録再生待機状態において、オープン操作実施により、光再生部４を下降し、ターンテーブル４ａとクランパ５による媒体１の挟み込みによるクランプを解除した後、トレイ２を記録再生装置から外方向へ排出し、図１，２の媒体出し入れ位置へ移行する。その際、ブラシアーム１３はメカシャーシ３上のピン３ａによる位置規制から解除され、ばね１５の付勢力にてブラシアーム１３の腕部がトレイ２上のストッパ２ｃに当接するまで回動し、ブラシ１４が待機位置上の磁気ヘッド７に対応した位置をとり、トレイ２の移動と連動しブラシ１４がヘッド表面を擦り、クリーニングする。
【００１７】
次に、その状態からクローズ操作実施により上記と逆の動作を行い、トレイ２の引き込み途中でブラシ１４にて待機位置にある磁気ヘッド７の表面をクリーニングしながら、媒体１を記録再生装置内へ挿入させ、ターンテーブル４ａとクランパ５にて挟み込んでクランプし、光，磁気双方の記録再生可能状態に移行する。このとき、ブラシ形状については、ブラシアーム１３に対し垂直に植毛してもよいが、図９に示すように、ブラシ１４の先端を媒体出し入れ位置から媒体記録再生位置に向かう方向に傾斜させることで、媒体１をトレイ２に載せて媒体記録再生位置に引き込む際に、ブラシ１４と磁気ヘッド７のクリーニング面との接触圧が大きくなり、より強力に磁気ヘッド７の表面をクリーニングでき、クリーニング効果がより一層良くなる。
【００１８】
また、図９において、磁気ヘッド７側をクランプ板６上の規制部６ａにて逃げないように位置規制した上で、ブラシアーム１３を弾性を有する成形品で構成することにより、ブラシ１４と磁気ヘッド７が接触した時、ヘッドアーム８が図面の右方向に逃げるのを規制部６ａにて止め、ブラシアーム１３が矢印Ｅ方向へ撓み、その弾性撓みを応用して磁気ヘッドクリーニング時のブラシ１４の磁気ヘッド７に対する圧力が別途付勢部品を追加することなく得ることができる。
【００１９】
さらに、ブラシ１４が磁気ヘッド７表面を清掃後さらにトレイ２を引き込む動作中、またはブラシアーム１３がメカシャーシ３上のピン３ａにて回動される間を利用し、ベース１２の下面のブラシの動作軌跡上に付着物除去部となる凸部１２ｂを構成し、この凸部１２ｂにてヘッド表面からブラシに写った汚れ等をかき落とす構成にすることにより、ブラシ１４上に汚れ等を堆積させず、ブラシ１４のクリーニング効果を持続させることができる。
【００２０】
このように構成された記録再生装置によると、媒体１を載置したトレイ２の移動に連動し、先端を媒体出し入れ位置から媒体記録再生位置に向かう方向に傾斜させたブラシ１４が、成形品からなるブラシアーム１３の弾性による圧力にて媒体１に磁気記録再生を行う磁気ヘッド７の表面をその待機状態にてクリーニングすることにより、媒体１の出し入れ動作を行う度に媒体１から磁気ヘッド７に転写した汚れ，ごみ等を取り除くことができる。したがって、防塵ケースのない媒体１で接触式の磁気記録再生を行う場合であっても、汚れによる磁気ヘッド特性の劣化を防止でき、磁気記録再生特性の安定化、媒体１と磁気ヘッド７間の異音や傷の防止等の効果を、シンプルなメカ構成で安価に得ることができる。
【００２１】
また、媒体１が装着されるときに、より強力にクリーニングするように、ブラシ１４を傾斜させたので、媒体装着初期に磁気ヘッド７表面が清掃されていることになり、クリーニング効果としてさらに良化する。
また、弾性撓みを応用して磁気ヘッドクリーニング時のブラシ１４の磁気ヘッド７に対する圧力が別途付勢部品を追加することなく得ることができる。
【００２２】
さらに、磁気ヘッド７からブラシ１４に転写した汚れ，ごみを、トレイ２の移動に連動し、ベース１２に設けた凸部１２ｂでかき落とすことにより、ブラシ１４のクリーニング効果を持続することができる。
なお、前記実施例の場合、磁気記録再生部はベース１２上に構成され、ベース１２はメカシャーシ３にクランプ板６を介して固定された構成になっているが、磁気記録の位置精度等の条件により、ベース１２は光再生部４に直接固定される構成としてもよい。
【００２３】
【発明の効果】
請求項１の構成によれば、媒体移送手段の移動時に、磁気ヘッドをクリーニングする磁気ヘッドクリーニング手段を設けたので、媒体の出し入れ操作を行う度に、媒体から磁気ヘッドに転写した汚れ，ごみを取り除くことができる。したがって、防塵ケースのない媒体で接触式の磁気記録再生を行う場合であっても、汚れによる磁気ヘッド特性の劣化を防止でき、磁気記録再生特性の安定化、媒体と磁気ヘッド間の異音や傷を防止できるという効果が得られる。
【００２４】
また、媒体移送手段の移動時に、磁気ヘッドクリーニング手段のクリーニング面を擦る付着物除去部を設けたので、クリーニング効果が持続するという効果が得られる。
請求項２、３の構成によれば、磁気ヘッドクリーニング手段が、アームの先端に磁気ヘッドを擦るブラシを設けたものであって、ブラシの先端を媒体出し入れ位置から媒体記録再生位置に向かう方向に傾斜させることで、媒体装着初期に磁気ヘッドを強力にクリーニングし、またアームを弾性体にて形成することにより、クリーニング効果が向上するという効果が得られる。
【図面の簡単な説明】
【図１】この発明の一実施例の記録再生装置の磁気ヘッドクリーニング時の平面図である。
【図２】この発明の一実施例の記録再生装置の磁気ヘッドクリーニング時の側面図である。
【図３】この発明の一実施例で用いる媒体の内部構造説明図である。
【図４】この発明の一実施例の記録再生装置の光再生状態の平面図である。
【図５】この発明の一実施例の記録再生装置の光再生状態の側面図である。
【図６】この発明の一実施例の記録再生装置の磁気記録再生状態の平面図である。
【図７】この発明の一実施例の記録再生装置の磁気記録再生状態の側面図である。
【図８】この発明の一実施例の記録再生装置の磁気ヘッドの記録位置ならびに待機位置の状態を示す断面図である。
【図９】この発明の一実施例の記録再生装置の磁気ヘッドクリーニング用ブラシ設置部分の拡大図である。
【符号の説明】
１  媒体
２  トレイ（媒体移送手段）
３  メカシャーシ
４  光再生部
７  磁気ヘッド
１２  ベース
１２ｂ  凸部（付着物除去部）
１３  ブラシアーム
１４  ブラシ（磁気ヘッドクリーニング手段）
【図１】
0003819455.tif 000002
【図２】
0003819455.tif 000003
【図３】
0003819455.tif 000004
【図４】
0003819455.tif 000005
【図５】
0003819455.tif 000006
【図６】
0003819455.tif 000007
【図７】
0003819455.tif 000008
【図８】
0003819455.tif 000009
【図９】
0003819455.tif 000010